(57)【要約】【課題】従来の小型発電装置は太陽光や風力や波力などによる、いずれも単独の発電方式であるので、太陽光や波力による複合発電システムを提供する。【解決手段】所定の大きさの屋根２付き建屋３を形成し、該建屋３の屋根２全面にソーラー発電５を取り付けてなる前記建屋３内に貯水プール４を設け、該貯水プール４の一方側に位置した管理調整室１０を経てソーラー発電５力によるモーター６で駆動する波発生装置８を設けるとともに、該波発生装置８の対向側に波圧発電９を位置した前記貯水プール４に水を満たした水面に数多くの浮発電１１を位置し、該浮発電１１と波圧発電９を前記管理調整室１０にリード配線１２してなる複合発電システム１とする。【選択図】図２
2010019243.tif 000002
【特許請求の範囲】
【請求項１】
所定の大きさの屋根付き建屋を形成し、該建屋の屋根全面にソーラー発電を設けてなる前記建屋内に貯水プールを設け、該貯水プールの一方側に、管理調整室を経てソーラー発電で駆動する波発生装置を設けるとともに、該波発生装置の対向側に波圧発電を位置してなる、前記貯水プールに水を満たした水面に数多くの浮発電を位置し、該浮発電と波圧発電を前記管理調整室にリード配線して成る構成を特徴とする複合発電システム。
【発明の詳細な説明】
【技術分野】
【０００１】  本発明は、ソーラー発電及び波発電を効率よく組み合わせて発電できる、簡易な構成で、かつ、低コストな複合発電システムに関する。
【背景技術】
【０００２】  従来、比較的小型で効率よく発電する装置としては、風の力を利用した風力発電、太陽光を利用したソーラー発電及び波の力や揺れを利用した波発電装置などが提供されており、それぞれ一定の効果を得ている。【０００３】  また海面に浮かべて波で揺れることで発電する振り子式発電装置もある。（例えば、特許文献１参照）【０００４】
【特許文献１】特開２０００６−３０４５８３
【発明の開示】
【発明が解決しようとする課題】
【０００５】  従来の比較的小型の発電装置は前記するように、風の力を利用した風力発電、太陽光を利用したソーラー発電及び波の力や揺れを利用した波発電装置などが提供されてそれぞれ一定の目的は果たしているが、実際面においては以下のような不便や欠点がある。【０００６】  まず、風力発電は強い風が得られる屋外で、かつ、一定量の風が強く継続して吹く場所に配置することが限られるので、どこでも設置できるものではない。【０００７】  さらにソーラー発電は、二酸化炭素を出さないエコ発電の代表として一層注目されている発電装置であるが、これは太陽光を必要とするため昼間しか発電できないので蓄電池と併用して使う必要がある。最近は高性能の蓄電池も提供されているが、まだ補助発電装置として使われる段階であり、大きな電力を得るにはソーラーパネルを数多く使う広いスペースが必要である。【０００８】  加えて、特開２０００６−３０４５８３における波発電装置は、波の力を発電に変えるものであるが、この場合は海に近いところでないと採用できないので、都市部や内陸部では使えないなど、それぞれ不便や欠点があつた。
【課題を解決するための手段】
【０００９】  本発明は、従来の不便や欠点を解消するために、請求項１においては、所定の大きさの屋根付き建屋を形成し、該建屋の屋根全面にソーラー発電を設けてなる前記建屋内に貯水プールを設け、該貯水プールの一方側に、管理調整室を経てソーラー発電で駆動する波発生装置を設けるとともに、該波発生装置の対向側に波圧発電を位置してなる前記貯水プールに水を満たした水面に数多くの浮発電を位置し、該浮発電と波圧発電を前記管理調整室にリード配線してなる複合発電システムとすることで、外部から新たな電力を取り入れる必要もなく効率的に発電できる複合発電システムとする。
【発明の効果】
【００１０】  本発明による複合発電装置は、建屋の屋根に取り付けた太陽光によるソーラー発電を備え、かつ、建屋内部に設けた貯水プールの一方に、前記ソーラー発電力によるモーターで波を起こす波発生装置によって波立つ水面に、揺れることで発電する数多くの浮発電をリード配線することで、海でない地上の建屋内で波による発電力を得られる今までに見られないユニークな発電方式である。【００１１】  加えて、前記の波発生装置の対向側には、波の圧力で発電する波圧発電を一体に設け、その波圧発電力はもとより、前記のソーラー発電力と水面に浮かべた浮発電力いずれも管理調整室に集中させて使い、余った電力は蓄電池に蓄えて必要な時はいつでも取り出して連続して電力を供給できる小型で簡易な複合発電システムを提供する。【００１２】  以上のような発電方式であるので、大きいタイプは野球状２〜３個分くらい、また小さいタイプは一軒家程度と、用途目的によって発電能力が地域に即した小型複合発電を可能とし、そのいずれも太陽光や波であるため、地球環境に優しく二酸化炭素も出さないエコ発電装置となるにも関わらず、コストやランニングコストも少なくて済む発電システムとなるので、例えば、小規模発電装置として病院や学校、公共施設に備えると、災害で電力が供給ができなくなっても使える極めて有効にして機能的な発電システムである。。
【発明を実施するための最良の形態】
【００１３】  本発明による複合発電装置の実施形態を図１に示す斜視図と図２に示すＡ−Ａ線拡大断面図、図３に示すＢ−Ｂ線拡大断面図、図４に示すブロック図で説明する。【００１４】  本発明における複合発電システム全体の大きさは、発電量の規模や目的により異なるが、大きいタイプは野球塲数個分くらいで、小さいタイプは一戸建てくらいとする簡易型の複合発電システム１とする。まず屋根２を設けた建屋３を形成し、その建屋３の内部に一定の深さの貯水プール４を設けてなる前記屋根２の全面に、数多くのソーラーパネルからなるソーラー発電５を取り付ける。【００１５】  次に、建屋３内に設けた貯水プール４の一方には、モーター６で水を前後に掻き回して波を起こす反復板７を備えた波発生装置７，７を複数個設けるとともに、その対向側には、前記波発生装置８から送り出された波の圧力で発電する波圧発電９を位置してなる前記モーター６側に、管理調整室１０を備えてなる貯水プール４に水を満たす。【００１６】  さらに、以上のように満水した貯水プール４の水面には、数多くの浮発電１１，１１を一定間隔で浮かべてなる各浮発電１１と前記波圧発電９それぞれを繋いだリード配線１２を前記管理調整室１０に導くとともに、前記ソーラー発電５は管理調整室１０を経て各モーター６にリード配線１２してなる複合発電システム１を構成する。【００１７】  本発明は以上のような実施形態を成す複合発電システム１とするので、まず、屋根降り注ぐ太陽光でソーラー発電５した電力を管理調整室１０に導き、その電力で、モーター６及び反復板７による波発生装置８を駆動すると、貯水プール４の水は大きい波が発生するので、その水面に数多く浮べた浮発電１１により電力を得られる。【００１８】  さらに、対向側に位置させた波圧発電９による電力も管理調整室１０に集められて電力を取り出せ、かつ余分な電力は蓄電池に蓄えられる太陽光と波の揺れと波圧による小型で、かつ、二酸化炭素を出さない省エネ型の複合発電システム１を形成する。【００１９】  本発明は以上のような構成であるが、建屋３は矩形であるが円形状でもよく、また屋根２は戸建の屋根様であるが半円状のドーム型でもよい。さらに必要な場合は建屋３に窓を設けたりするのも構わない。
【図面の簡単な説明】
【００２０】
【図１】本発明による複合発電システムの実施形態を示す斜視図である。
【図２】本発明の複合発電システムの実施形態を示すＡ−Ａ線拡大断面図である。
【図３】本発明の複合発電システムの実施形態を示すＢ−Ｂ線拡大平面図である。
【図４】本発明の複合発電システムを示すブロック図である。
【符号の説明】
【００２１】１複合発電システム
２屋根
３建屋
４貯水プール
５ソーラー発電
６モーター
７反復板
８波発生装置
９波圧発電
１０管理調整室
１１浮発電
１２リード配線
【図１】
2010019243.tif 000003
【図２】
2010019243.tif 000004
【図３】
2010019243.tif 000005
【図４】
2010019243.tif 000006